(57)【要約】【課題】装用者に適した拡大光学系ユニットの位置調整を、双眼拡大鏡の装着時に容易に行うことができる双眼拡大鏡を提供すること。【解決手段】双眼拡大鏡１は、装用者の頭部に固定可能なフレーム１０と、フレーム１０に支持され、装用者の左右の眼によってそれぞれ覗かれる一対の拡大光学系ユニット２０Ａ、２０Ｂと、フレーム１０に対して左右の拡大光学系ユニット２０Ａ、２０Ｂを位置調整可能に支持する調整機構４０とを備える。調整機構４０は、左右の拡大光学系ユニット２０Ａ、２０Ｂを支持する第１アーム４１と、この第１アーム４１とフレーム１０とを連結する第２アーム４３とを有しており、第２アーム４３は、先端側において、第１回動支持部４４を介してフレーム１０に回動可能に支持され、基端側において、第２回動支持部４５を介して第１アーム４１に回動可能に支持されており、その全長が伸縮自在に構成されている。【選択図】図２
2014041218.tif 000002
【特許請求の範囲】
【請求項１】
装用者の頭部に固定可能なフレームと、
該フレームに支持され、装用者の左右の眼によってそれぞれ覗かれる一対の拡大光学系ユニットと、
前記フレームに対して左右の前記拡大光学系ユニットを位置調整可能に支持する調整機構とを備える双眼拡大鏡であって、
前記調整機構は、左右の前記拡大光学系ユニットを支持する第１アームと、該第１アームと前記フレームとを連結する第２アームとを有しており、
前記第２アームは、その先端側において、第１回動支持部を介して前記フレームに回動可能に支持され、その基端側において、第２回動支持部を介して前記第１アームに回動可能に支持されており、その全長が伸縮自在に構成されていることを特徴とする双眼拡大鏡。
【請求項２】
前記第１回動支持部は、第１軸と、該第１軸が挿入される第１軸受けとを有する請求項１に記載の双眼拡大鏡。
【請求項３】
前記第２回動支持部は、第２軸と、該第２軸が挿入される第２軸受けとを有する請求項１または２に記載の双眼拡大鏡。
【請求項４】
前記第２アームは、長尺状をなす２枚の板部材と、規制ネジとを備え、前記２枚の板部材に対する前記規制ネジの締結により、その全長が固定される請求項１ないし３のいずれかに記載の双眼拡大鏡。
【請求項５】
一方の前記板部材に溝が設けられ、他方の前記板部材に凸部が設けられており、前記溝に前記凸部を挿入した状態で、前記第２アームの全長を固定するよう構成されている請求項４に記載の双眼拡大鏡。
【請求項６】
前記第１アームは、左右の前記拡大光学系ユニットを、接近・離間可能に支持する請求項１ないし５のいずれかに記載の双眼拡大鏡。
【請求項７】
前記第１アームには、左右の前記拡大光学系ユニットの離間距離を示す目盛りが形成されている請求項１ないし６のいずれかに記載の双眼拡大鏡。
【請求項８】
前記左右の拡大光学系ユニットにそれぞれ支持された左右の眼鏡レンズを備える請求項１ないし７のいずれかに記載の双眼拡大鏡。
【発明の詳細な説明】
【技術分野】
【０００１】
本発明は、双眼拡大鏡、特に、手術中の処置部を双眼で拡大して観察するために用いられる双眼拡大鏡に関する。
【背景技術】
【０００２】
脳外科手術や心臓血管手術等の微細な組織を処置する手術においては、装用者（医師）は処置部を拡大鏡により拡大して観察しながら手術を行う。このような場合、通常、処置部を立体的に観察するため、双眼の拡大鏡が用いられる。
【０００３】
例えば、特許文献１、２には、眼鏡フレームに固定された左右の眼鏡レンズの中央部にそれぞれ円形の開口を形成し、これらの開口に拡大光学系ユニットを固定して構成される双眼拡大鏡が開示されている。
【０００４】
拡大光学系ユニットは、対物レンズおよび接眼レンズから構成される実像式の拡大光学系を備えており、これにより、装用者の手元の部位が拡大して観察される。
【０００５】
したがって、装用者は視線を動かすことで拡大光学系を介した拡大視と、拡大光学系を介さない等倍視とを切り換えることができ、さらに、拡大視では頭部を前方に傾けることなく処置部を拡大観察することができる。
【０００６】
ここで、拡大観察時の立体視を可能とするには、装用者の両目の瞳と左右の拡大光学系ユニットのそれぞれの射出瞳とを一致させると共に、処置部の位置で左右の拡大光学系ユニットの光軸を交差させる必要がある。
【０００７】
このため、瞳孔間距離(ＰＤ)に合わせて拡大光学系ユニットの取付間隔を決定し、双眼拡大鏡から処置部までの距離(ワーキングディスタンスＷＤ)に合わせて両拡大光学系ユニットの輻輳角を設定し、さらに、装用者の瞳と拡大光学系ユニットの射出瞳とを一致させる必要がある。
【０００８】
しかしながら、特許文献１に記載の双眼拡大鏡では、光学拡大ユニットがメガネフレームに接着固定され、位置合わせの為の機構が無いため、出荷時に、個々の装用者毎になされ、出荷後に拡大光学系ユニットの取付位置を変更することができないという問題がある。
【０００９】
また、特許文献２に記載の双眼拡大鏡では、光学拡大ユニットを、その上下左右に移動調整させることができるものの、前後方向や光軸角度に対する調整ができなかった。そのため、最適なアイレリーフ（接眼と目との距離）に光学拡大ユニットを調整できず、また、装用者にとって覗き易い視線方向への光学拡大ユニットの角度調整ができないという問題が生じる。
【先行技術文献】
【特許文献】
【００１０】
【特許文献１】特開２００５−１２８３０５号公報
【特許文献２】特開２００７−３１０００６号公報
【発明の概要】
【発明が解決しようとする課題】
【００１１】
本発明の目的は、装用者に適した拡大光学系ユニットの位置調整を、双眼拡大鏡の装着時に容易に行うことができる双眼拡大鏡を提供することにある。
【課題を解決するための手段】
【００１２】
このような目的は、下記（１）〜（８）に記載の本発明により達成される。
（１）  装用者の頭部に固定可能なフレームと、
該フレームに支持され、装用者の左右の眼によってそれぞれ覗かれる一対の拡大光学系ユニットと、
前記フレームに対して左右の前記拡大光学系ユニットを位置調整可能に支持する調整機構とを備える双眼拡大鏡であって、
前記調整機構は、左右の前記拡大光学系ユニットを支持する第１アームと、該第１アームと前記フレームとを連結する第２アームとを有しており、
前記第２アームは、その先端側において、第１回動支持部を介して前記フレームに回動可能に支持され、その基端側において、第２回動支持部を介して前記第１アームに回動可能に支持されており、その全長が伸縮自在に構成されていることを特徴とする双眼拡大鏡。
【００１３】
これにより、装用者に適した拡大光学系ユニットの位置調整を、双眼拡大鏡の装着時に容易に行うことができる。
【００１４】
（２）  前記第１回動支持部は、第１軸と、該第１軸が挿入される第１軸受けとを有する上記（１）に記載の双眼拡大鏡。
これにより、第２アームがフレームに回動可能に支持される。
【００１５】
（３）  前記第２回動支持部は、第２軸と、該第２軸が挿入される第２軸受けとを有する上記（１）または（２）に記載の双眼拡大鏡。
これにより、第１アームが第２アームに回動可能に支持される。
【００１６】
（４）  前記第２アームは、長尺状をなす２枚の板部材と、規制ネジとを備え、前記２枚の板部材に対する前記規制ネジの締結により、その全長が固定される上記（１）ないし（３）のいずれかに記載の双眼拡大鏡。
これにより、第２アームを、その全長が伸縮自在なものとすることができる。
【００１７】
（５）  一方の前記板部材に溝が設けられ、他方の前記板部材に凸部が設けられており、前記溝に前記凸部を挿入した状態で、前記第２アームの全長を固定するよう構成されている上記（４）に記載の双眼拡大鏡。
【００１８】
これにより、板部材が第２アームの短手方向（幅方向）に位置ズレおよび回転するのを的確に抑制または防止することができる。
【００１９】
（６）  前記第１アームは、左右の前記拡大光学系ユニットを、接近・離間可能に支持する上記（１）ないし（５）のいずれかに記載の双眼拡大鏡。
【００２０】
これにより、装用者の瞳孔間距離（ＰＤ）に応じて、左右の拡大光学系ユニット同士の離間距離を設定することができる。
【００２１】
（７）  前記第１アームには、左右の前記拡大光学系ユニットの離間距離を示す目盛りが形成されている上記（１）ないし（６）のいずれかに記載の双眼拡大鏡。
【００２２】
これにより、離間距離を、予め測定された装用者の瞳孔間距離に一致させることにより、左右の瞳に合わせて、それぞれ、左右の拡大光学系ユニットを確実に配置させることができる。
【００２３】
（８）  前記左右の拡大光学系ユニットにそれぞれ支持された左右の眼鏡レンズを備える上記（１）ないし（７）のいずれかに記載の双眼拡大鏡。
【００２４】
これにより、装用者は、拡大光学系を介した拡大視と眼鏡レンズを介した等倍視とを、視線を動かすことで切り換えることができる。
【発明の効果】
【００２５】
本発明によれば、第２アームが、その先端側において、第１回動支持部を介してフレームに回動可能に支持され、その基端側において、第２回動支持部を介して第１アームに回動可能に支持されており、その全長が伸縮自在に構成されているため、装用者に適した拡大光学系ユニットの位置調整を、双眼拡大鏡の装着時に容易に行うことができる。
【図面の簡単な説明】
【００２６】
【図１】本発明の双眼拡大鏡の第１実施形態を示す斜視図である。
【図２】図１に示す双眼拡大鏡の部分拡大斜視図である。
【図３】図１に示す双眼拡大鏡の部分拡大上面図である。
【図４】図１に示す双眼拡大鏡の部分拡大後面図である。
【図５】図１に示す双眼拡大鏡が備える拡大光学系ユニットの側面断面図である。
【図６】装用者の眼の位置および拡大光学系ユニットの支持位置と、瞳孔間距離（ＰＤ）との関係を示す図である。
【図７】本発明の双眼拡大鏡の第２実施形態を示す斜視図である。
【発明を実施するための形態】
【００２７】
以下、本発明の双眼拡大鏡を添付図面に示す好適な実施形態に基づいて詳細に説明する。
【００２８】
＜第１実施形態＞
まず、本発明の双眼拡大鏡の第１実施形態について説明する。
【００２９】
図１は、本発明の双眼拡大鏡の第１実施形態を示す斜視図、図２は、図１に示す双眼拡大鏡の部分拡大斜視図、図３は、図１に示す双眼拡大鏡の部分拡大上面図、図４は、図１に示す双眼拡大鏡の部分拡大後面図、図５は、図１に示す双眼拡大鏡が備える拡大光学系ユニットの側面断面図、図６は、装用者の眼の位置および拡大光学系ユニットの支持位置と、瞳孔間距離（ＰＤ）との関係を示す図である。
【００３０】
図１、２に示すように、双眼拡大鏡１は、装用者の頭部に固定可能なフレーム１０と、装用者の左右の眼でそれぞれ覗かれる一対の拡大光学系ユニット２０Ａ、２０Ｂと、これら拡大光学系ユニット２０Ａ、２０Ｂをフレーム１０に対して位置調整可能に支持する調整機構４０とを備えている。
【００３１】
フレーム１０は、図１に示すように、装用時に装用者の額の前面に位置する前面部１１と、この前面部１１の両端から後方に伸びて装用者の側頭部を挟み込んで頭部に固定される側面部１２と、側面部１２の途中に設けられ、頭部からの落下を防止するストラップ１５と、前面部１１の中心付近に形成された接続部１３とを有している。
【００３２】
さらに、接続部１３の前面には、調整機構４０が支持され、さらに、接続部１３の背面には、双眼拡大鏡１を装用者に固定する鼻パッド５０が固定されている。なお、調整機構４０の詳細については後述する。
【００３３】
拡大光学系ユニット２０Ａ、２０Ｂは、対象物を拡大して観察するための拡大光学系を有している。
【００３４】
以下、この拡大光学系ユニット２０Ａ、２０Ｂ、すなわち、拡大光学系について説明するが、左目用の光学系を有する拡大光学系ユニット２０Ａと、右目用の光学系を有する拡大光学系ユニット２０Ｂとでは、左右が反転するのみで構成は、左目用と右目用とでは同一であるため、以下では、右目用の拡大光学系ユニット２０Ｂの説明は省略し、左目用の拡大光学系ユニット２０Ａを代表に説明する。
【００３５】
拡大光学系ユニット２０Ａが有する光学系は、図５に示すように、正のパワーを有する対物レンズ２１と、負のパワーを有する接眼レンズ２２とを備え、物体を拡大して観察するいわゆるガリレオ式の拡大光学系で構成される。
【００３６】
観察対象からの光は、対物レンズ２１に入射し、対物レンズ２１を透過し、さらに接眼レンズ２２を透過して装用者の眼ＥＬに届く。これにより、装用者は、正面を向いた状態で手元の対象物を拡大観察することができる。
【００３７】
拡大光学系ユニット２０Ａの対物レンズ２１は、図５に示すように、対物レンズ鏡筒２４に組み込まれ、また、接眼レンズ２２は、接眼レンズ鏡筒２５に組み込まれている。
【００３８】
対物レンズ鏡筒２４には、その内周部に雌ネジが形成され、接眼レンズ鏡筒２５には、その外周部に雄ネジが形成されており、これにより、対物レンズ鏡筒２４が接眼レンズ鏡筒２５に螺合する。その結果、対物レンズ鏡筒２４と接眼レンズ鏡筒２５とが接続される。
【００３９】
また、拡大光学系ユニット２０Ａのピントは、対物レンズ２１と接眼レンズ２２との離間距離を調節することにより行われ、この離間距離は、対物レンズ鏡筒２４の接眼レンズ鏡筒２５に対する螺合量により設定される。さらに、接眼レンズ鏡筒２５の雄ネジの途中には、雄ネジに螺合するリング２３が設けられており、このリング２３を対物レンズ鏡筒２４の基端と当接させることで、リング２３は、前記離間距離を維持するストッパーとしての機能を発揮する。
【００４０】
さらに、接眼レンズ鏡筒２５の外周の途中には、溝２７が形成されており、基端（眼側）には固定リング２８が装着されている。
【００４１】
拡大光学系ユニット２０Ａは、対物レンズ２１、対物レンズ鏡筒２４、接眼レンズ２２、接眼レンズ鏡筒２５、リング２３および固定リング２８が一体に組み立てられた状態で、接眼レンズ鏡筒２５の溝２７において調整機構４０が備える枠体４２Ａにより保持され、これにより、フレーム１０に支持される。
【００４２】
次に、調整機構４０の構成について説明する。
調整機構４０は、図２〜４に示すように、左右の拡大光学系ユニット２０Ａ、２０Ｂを支持する第１アーム４１と、この第１アーム４１とフレーム１０とを連結する第２アーム４３とを有しており、第２アーム４３は、その先端側において、第１回動支持部４４を介してフレーム１０に回動可能に支持され、その基端側において、第２回動支持部４５を介して第１アーム４１に回動可能に支持されており、その全長が伸縮自在に構成されている。
【００４３】
第１回動支持部（第１ヒンジ部）４４は、第１軸と、この第１軸が挿入される第１軸受けとを有し、第２アーム４３の先端側に形成された貫通孔と、フレーム１０の接続部１３に形成された貫通孔とに第１軸を挿通した状態で、第１軸に第１軸受けを挿入して固定することで、第２アーム４３がフレーム１０に回動可能に支持される。
【００４４】
また、第２回動支持部（第２ヒンジ部）４５は、第２軸と、この第２軸が挿入される第２軸受けとを有し、第２アーム４３の基端側に形成された貫通孔と、第１アーム４１の中央部４１ａに形成された貫通孔とに第２軸を挿通した状態で、第２軸に第２軸受けを挿入して固定することで、第１アーム４１が第２アーム４３に回動可能に支持される。
【００４５】
第２アーム４３は、長尺状をなす２枚の板部材４３ａ、４３ｂと、規制ネジ４３ｃとを備えている。板部材４３ａは、その長手方向に開口する長孔４３ｄを有し、板部材４３ｂは、規制ネジ４３ｃが挿入される孔４３ｅを有し、孔４３ｅに挿入された規制ネジ４３ｃの位置を長孔４３ｄに沿って変更した後、規制ネジ４３ｃを締結する。かかる構成とすることで、第２アーム４３は、その全長が伸縮自在なものとなる。
【００４６】
さらに、板部材４３ａには溝４３ｆが設けられ、板部材４３ｂには凸部４３ｇが設けられており、溝４３ｆに凸部４３ｇを挿入した状態で、規制ネジ４３ｃにより第２アーム４３の全長を固定するよう構成されている。これにより、これら溝４３ｆおよび凸部４３ｇが、第２アーム４３を伸縮する際のガイドとして機能することから、板部材４３ａ、４３ｂが第２アーム４３の短手方向（幅方向）に位置ズレおよび回転するのを的確に抑制または防止することができる。
【００４７】
第１アーム４１は、装用者の両目の瞳同士を結ぶ瞳幅方向に延伸する長尺形状をなしており、この瞳幅方向に沿って形成された長孔４１ｂ、４１ｃを有している。これら長孔４１ｂ、４１ｃには、それぞれ、移動可能に配置された枠体４２Ａ、４２Ｂがネジ４１ｄ、４１ｅの締結により固定されている。また、枠体４２Ａ、４２Ｂには、それぞれ、拡大光学系ユニット２０Ａ、２０Ｂが装着され、これにより、第１アーム４１に、左右の拡大光学系ユニット２０Ａ、２０Ｂが、接近・離間可能に支持される。その結果、装用者の瞳孔間距離（ＰＤ）に応じて、左右の拡大光学系ユニット２０Ａ、２０Ｂ同士の離間距離を設定することができるようになる。
【００４８】
また、枠体４２Ａ、４２Ｂは、それぞれ、リング状をなすリム４２ｂと、リム４２ｂから突出する保持部４２ａとを有する。保持部４２ａに形成されたネジ穴にネジ４１ｄ、４１ｅを締結することで、枠体４２Ａ、４２Ｂが第１アーム４１に固定される。
【００４９】
さらに、リム４２ｂは、そのリング状をなす一箇所で切断された切断部を有し、この切断部がネジ４２ｄの締結により接続されている。ネジ４２ｄを緩めた状態で、拡大光学系ユニット２０Ａ、２０Ｂが有する溝２７にリム４２ｂを挿入し、その後、ネジ４２ｄを締結することで、枠体４２Ａ、４２Ｂに、拡大光学系ユニット２０Ａ、２０Ｂが固定される。
【００５０】
さらに、本実施形態では、図３に示すように、長孔４１ｂ、４１ｃは、それぞれ、半径Ｒを有する円孤上に沿うように形成されている。そして、第１アーム４１に支持された左右の拡大光学系ユニット２０Ａ、２０Ｂの光軸Ｌの交点Ａ（すなわち、前記円弧の中心）と処置部が一致するように前記円弧の半径Ｒをとる。その結果、装用者は、光軸Ｌの交点Ａに位置する処置部を立体的に視認することができる。したがって、装用者の瞳孔間距離（ＰＤ）に応じて、拡大光学系ユニット２０Ａ、２０Ｂの固定位置を変更したとしても、たえず、拡大光学系ユニット２０Ａ、２０Ｂの光軸Ｌの交点において、処置部を立体的に視認することができる。
【００５１】
なお、長孔４１ｂ、４１ｃを、それぞれ、半径Ｒを有する円孤上に沿うように形成することで、双眼拡大鏡１から処置部までの距離であるワーキングディスタンスＷＤは、半径Ｒの固定値をとることとなるが、半径Ｒの異なる第１アーム４１を複数用意し、これを適宜取り替える構成とすることで、ワーキングディスタンスＷＤを所望の大きさに設定することが可能となる。すなわち、装用者の好み、処置部の位置等に応じて、ワーキングディスタンスＷＤを所望の大きさに設定することができる。
【００５２】
また、第１アーム４１には、左右の拡大光学系ユニット２０Ａ、２０Ｂの離間距離を示す目盛り４６Ａ、４６Ｂが形成されている。この離間距離を、予め測定された装用者の瞳孔間距離に設定する（一致させる）ことにより、左右の瞳に合わせて、それぞれ、左右の拡大光学系ユニット２０Ａ、２０Ｂを確実に配置させることができる。
【００５３】
なお、図６に示すように、拡大光学系ユニット２０Ａ、２０Ｂの支持位置は、装用者の眼の位置と比較して、処置部に対して近位に位置している。そのため、拡大光学系ユニット２０Ａ、２０Ｂの離間距離は、実際の装用者の瞳孔間距離よりも短くなる。そのため、本実施形態では、拡大光学系ユニット２０Ａ、２０Ｂの離間距離を示す目盛り４６Ａ、４６Ｂは、実際の瞳孔間距離からのズレを換算した大きさで記されている。これにより、左右の瞳に合わせて、それぞれ、左右の拡大光学系ユニット２０Ａ、２０Ｂをより確実に配置させることができる。
【００５４】
次に、上述した双眼拡大鏡１を、装用者に適合するように、左右の拡大光学系ユニット２０Ａ、２０Ｂを位置調整する際の手順について説明する。
【００５５】
＜１＞  まず、装用者の瞳孔間距離(ＰＤ)、および装用者が望む双眼拡大鏡から処置部までの距離(ワーキングディスタンスＷＤ)を入手する。
【００５６】
そして、入手したワーキングディスタンスＷＤを光軸Ｌの交点Ａまでの距離として備える第１アーム４１を双眼拡大鏡１に装着する。
【００５７】
その後、左右の拡大光学系ユニット２０Ａ、２０Ｂの離間距離を、瞳孔間距離(ＰＤ)に設定する。すなわち、第１アーム４１に示された目盛り４６Ａ、４６Ｂの位置を、入手された瞳孔間距離(ＰＤ)に一致させる。
【００５８】
なお、装用者の瞳孔間距離(ＰＤ)を入手できない場合には、拡大光学系ユニット２０Ａ、２０Ｂの離間距離の設定を省略することができる。
【００５９】
＜２＞  次に、装用者が双眼拡大鏡１を装着し、その後、第２アーム４３が有する規制ネジ４３ｃを緩め、長孔４３ｄに対する規制ネジ４３ｃの位置を変更可能とすること、すなわち、２枚の板部材４３ａ、４３ｂの長手方向に対する位置関係を変更可能とすることで、第２アーム４３の全長を伸縮自在な状態とする。
【００６０】
そして、フレーム１０から左右の拡大光学系ユニット２０Ａ、２０Ｂまでの距離を装用者に適した位置、すなわち、拡大光学系ユニット２０Ａ、２０Ｂの上下の位置を適した位置に設定した後、規制ネジ４３ｃを締結することで、第２アーム４３の長さを装用者に適した大きさで固定する。
【００６１】
＜３＞  次に、双眼拡大鏡１の装着を維持したまま、第１回動支持部４４を介して、フレーム１０に対して第２アーム４３を回動させる。この第２アーム４３の回動により、第１回動支持部４４を中心として、左右の拡大光学系ユニット２０Ａ、２０Ｂが移動（回動）する。
【００６２】
そして、左右の拡大光学系ユニット２０Ａ、２０Ｂが最適なアイレリーフ（接眼と目との距離）となったとき、すなわち、観察視野が最大で、かつ、拡大光学系ユニット２０Ａ、２０Ｂが目から最も離れたとき、第１回動支持部４４における回動を停止する。これにより、左右の拡大光学系ユニット２０Ａ、２０Ｂが最適なアイレリーフで固定される。
【００６３】
＜４＞  次に、双眼拡大鏡１の装着を維持したまま、第２回動支持部４５を介して、第２アーム４３に対して第１アーム４１を回動させる。この第１アーム４１の回動により、第２回動支持部４５を中心として、左右の拡大光学系ユニット２０Ａ、２０Ｂが移動（回動）する。
【００６４】
この左右の拡大光学系ユニット２０Ａ、２０Ｂに近位の第２回動支持部４５における拡大光学系ユニット２０Ａ、２０Ｂの回動により、前記工程＜３＞において設定された最適なアイレリーフを維持したまま、拡大光学系ユニット２０Ａ、２０Ｂを移動させることができる。そのため、この第２回動支持部４５における回動により、装用者が覗き易い視線方向に拡大光学系ユニット２０Ａ、２０Ｂが位置したときに、かかる回動を停止する。これにより、拡大光学系ユニット２０Ａ、２０Ｂが、装用者が覗き易い視線方向で固定される。
【００６５】
なお、装用者が覗き易い視線方向とは、拡大光学系ユニット２０Ａ、２０Ｂを介さない等倍視の視線方向に対して、上側または下側の視線方向のいずれであっても良い。
【００６６】
＜５＞  次に、双眼拡大鏡１の装着を維持したまま、第１アーム４１が有するネジ４１ｄ、４１ｅを緩め、長孔４１ｂ、４１ｃに対するネジ４１ｄ、４１ｅの位置を変更可能とすること、すなわち、第１アーム４１の長手方向に対する左右の拡大光学系ユニット２０Ａ、２０Ｂの位置を変更可能とすることで、左右の拡大光学系ユニット２０Ａ、２０Ｂの離間距離を変更可能な状態とする。
【００６７】
そして、装用者により、左右の拡大光学系ユニット２０Ａ、２０Ｂから覗かれる２つの像（処置部）が一致する（重なる）位置に前記離間距離を設定した後、ネジ４１ｄ、４１ｅを締結することで、前記離間距離が適切な大きさを保持した状態で第１アーム４１に拡大光学系ユニット２０Ａ、２０Ｂが固定される。これにより、拡大光学系ユニット２０Ａ、２０Ｂから覗かれる処置部を立体的に視認することができる。
【００６８】
なお、前記工程＜１＞において、入手された瞳孔間距離(ＰＤ)に基づいて設定した左右の拡大光学系ユニット２０Ａ、２０Ｂの離間距離で、左右の拡大光学系ユニット２０Ａ、２０Ｂから覗かれる像が１つとなり、処置部が立体的に視認される場合には、本工程＜５＞を省略することができる。
【００６９】
なお、前記工程＜２＞〜＜５＞で説明した、調整機構４０を用いた左右の拡大光学系ユニット２０Ａ、２０Ｂの支持位置の調整は、前記工程＜２＞〜＜５＞の順序で行うことでより精度よく行うことができるが、その順序は特に限定されず、特に、その支持位置の微調整を行う場合には、前記工程＜２＞〜＜５＞の後に、前記工程＜２＞〜＜４＞のうちの少なくとも１つの工程を施すようにしてもよい。
【００７０】
以上のように、本発明の双眼拡大鏡１によれば、装用者が双眼拡大鏡１を装着した際に、前記工程＜２＞〜＜５＞による拡大光学系ユニット２０Ａ、２０Ｂの位置調整を行うことで、装用者に適した位置に拡大光学系ユニット２０Ａ、２０Ｂを配置させることができる。すなわち、本発明の双眼拡大鏡１によれば、装用者に適した拡大光学系ユニット２０Ａ、２０Ｂの位置調整を、双眼拡大鏡１の装着時に容易に行うことができる。
【００７１】
＜第２実施形態＞
次に、本発明の双眼拡大鏡の第２実施形態について説明する。
【００７２】
図７は、本発明の双眼拡大鏡の第２実施形態を示す斜視図である。
以下、第２実施形態の双眼拡大鏡１について、前記第１実施形態の双眼拡大鏡１との相違点を中心に説明し、同様の事項については、その説明を省略する。
【００７３】
図７に示す双眼拡大鏡１は、左右の拡大光学系ユニット２０Ａ、２０Ｂにそれぞれ支持された左右の眼鏡レンズ３０Ａ、３０Ｂを備えること以外は、図１に示す双眼拡大鏡１と同様である。
【００７４】
すなわち、第２実施形態の双眼拡大鏡１において、眼鏡レンズ３０Ａ、３０Ｂには、開口部３１が形成されており、この開口部３１に接眼レンズ鏡筒２５が挿入された状態で、固定リング２８側で眼鏡レンズ３０Ａ、３０Ｂが拡大光学系ユニット２０Ａ、２０Ｂに固定されている。これにより、装用者は、拡大光学系ユニット２０Ａ、２０Ｂを介した拡大視と、拡大光学系ユニット２０Ａ、２０Ｂを介せず眼鏡レンズ３０Ａ、３０Ｂを介した等倍視とを、視線を動かすことで切り換えることができる。また、眼鏡レンズ３０Ａ、３０Ｂを介することで、近視、遠視および乱視に応じた等倍視による観察を行うことができる。
【００７５】
また、このような第２実施形態の双眼拡大鏡１によっても、前記第１実施形態と同様の効果が得られる。
【００７６】
以上、本発明の双眼拡大鏡を図示の実施形態に基づいて説明したが、本発明は、これに限定されるものではない。
【００７７】
例えば、本発明の双眼拡大鏡において、各構成は、同様の機能を発揮し得る任意のものと置換することができ、あるいは、任意の構成のものを付加することができる。
【００７８】
また、前記実施形態では、左右の拡大光学系ユニットが有する光学系は、正のパワーを有する対物レンズと、負のパワーを有する接眼レンズとで構成されるガリレオ式の光学系である場合について説明したが、かかる構成に限定されず、例えば、正のパワーを有する対物レンズと正のパワーを有する接眼レンズとを備える実像式の拡大光学系と、対物レンズと接眼レンズとの間に配置されて像を正立させる正立素子とから構成されるケプラー式の光学系であってもよい。また、前記正立素子は、拡大光学系の光路を一方側に偏向すると共に像を正立させる偏向素子であるダハプリズムであってもよい。
【符号の説明】
【００７９】
１                  双眼拡大鏡
１０                フレーム
１１                前面部
１２                側面部
１３                接続部
１５                ストラップ
２０Ａ、２０Ｂ      拡大光学系ユニット
２１                対物レンズ
２２                接眼レンズ
２３                リング
２４                対物レンズ鏡筒
２５                接眼レンズ鏡筒
２７                溝
２８                固定リング
３０Ａ、３０Ｂ      眼鏡レンズ
３１                開口部
４０                調整機構
４１                第１アーム
４１ａ              中央部
４１ｂ、４１ｃ      長孔
４１ｄ、４１ｅ      ネジ
４２Ａ、４２Ｂ      枠体
４２ａ              保持部
４２ｂ              リム
４２ｄ              ネジ
４３                第２アーム
４３ａ、４３ｂ      板部材
４３ｃ              規制ネジ
４３ｄ              長孔
４３ｅ              孔
４３ｆ              溝
４３ｇ              凸部
４４                第１回動支持部
４５                第２回動支持部
４６Ａ、４６Ｂ      目盛り
５０                鼻パッド
【図１】
2014041218.tif 000003
【図２】
2014041218.tif 000004
【図３】
2014041218.tif 000005
【図４】
2014041218.tif 000006
【図５】
2014041218.tif 000007
【図６】
2014041218.tif 000008
【図７】
2014041218.tif 000009